(57)【要約】  リード線支持装置（４０）は、絶縁物で構成されており、静止誘導機器の巻線から引き出されたリード線（３０）を支持する。リード線支持装置（４０）は、タンク（２０）の内壁に固定される。リード線（３０）から内壁に至るまでの沿面経路は、第１の点および第２の点を含む。第１の点は、リード線からの沿面距離が第１の距離である点である。第２の点は、リード線からの沿面距離が第１の距離よりも長い第２の距離である点である。第２の点における電位は、第１の点における電位よりも高い。
2018029772.tif 000002
【特許請求の範囲】
【請求項１】
鉄心と、
前記鉄心に巻回された巻線と、
前記鉄心および前記巻線を収容するタンクと、
絶縁物で構成され、前記巻線から引き出されたリード線を支持するリード線支持装置とを備え、
前記リード線支持装置は、前記タンクの内壁に固定され、
前記リード線から前記内壁に至るまでの沿面経路は、
前記リード線からの沿面距離が第１の距離である第１の点と、
前記リード線からの沿面距離が前記第１の距離よりも長い第２の距離である第２の点とを含み、
前記第２の点における電位は、前記第１の点における電位よりも高い、静止誘導機器。
【請求項２】
前記沿面経路における、前記第１の点から前記第２の点までの区間では、前記リード線からの沿面距離が長くなるに従って電位が高くなる、請求項１に記載の静止誘導機器。
【請求項３】
前記リード線から前記第２の点までの空間距離は、前記リード線から前記第１の点までの空間距離よりも短い、請求項１または２に記載の静止誘導機器。
【請求項４】
前記リード線支持装置は、
前記リード線を挟持するように構成された挟持部と、
前記挟持部を前記内壁に固定するように構成された固定部とを含み、
前記第１および第２の点は前記固定部に位置する、請求項１から３のいずれか１項に記載の静止誘導機器。
【請求項５】
前記リード線支持装置は、前記内壁上に、前記リード線の延在方向に沿って複数並べて配置され、
互いに隣り合う第１および第２のリード線支持装置は、前記延在方向から見たときに、各々の基部が前記リード線を挟んで対向するように配置される、請求項１から４のいずれか１項に記載の静止誘導機器。
【請求項６】
タンク内に収容された巻線のリード線を、前記タンクの内壁に固定するためのリード線支持装置であって、
前記リード線から前記内壁に至るまでの沿面経路は、
前記リード線からの沿面距離が第１の距離である第１の点と、
前記リード線からの沿面距離が前記第１の距離よりも長い第２の距離である第２の点とを含み、
前記第２の点における電位は、前記第１の点における電位よりも高い、リード線支持装置。
【発明の詳細な説明】
【技術分野】
【０００１】
この発明は、静止誘導機器およびリード線支持装置に関する。
【背景技術】
【０００２】
静止誘導機器のコイルから引き出されたリード線を支持するリード線支持装置を開示した先行文献として、特開２０１２−１９９３０７号公報（特許文献１）がある。特許文献１に記載されたリード線支持装置は、円筒状のリード線支持体を備える。このリード線支持体は、リード線をタンクの壁部から所定の距離だけ離して支持する。これにより、リード線とタンクの壁部との絶縁距離を確保している。【０００３】
上記リード線支持体は、複数のプレスボードが積層されて横断面において円弧状をなすプレスボード積層体を複数組み合わせて構成される。複数のプレスボード積層体の内周面はリード線の外周面に密着している。複数のプレスボード積層体のうちの互いに隣接するプレスボード積層体は、周方向の端部同士が突き合わされて固定されている。
【先行技術文献】
【特許文献】
【０００４】
【特許文献１】特開２０１２−１９９３０７号公報
【発明の概要】
【発明が解決しようとする課題】
【０００５】
特許文献１に記載されたリード線支持装置は、リード線の周囲に発生する電界によって、プレスボード同士の接着界面に存在する、気泡などの部分的な接着欠陥にて放電が発生することを抑制するものである。【０００６】
一方、静止誘導機器においては、リード線に印加される電圧が非常に高い場合、リード線支持装置の絶縁性能が不十分であるために、リード線支持装置を経由してリード線とタンクとの間に沿面放電が発生することがある。【０００７】
沿面放電の発生を抑制するためには、リード線支持装置の沿面長を長くすることが有効である。しかしながら、沿面長を長くすると、リード線支持装置が大型化、重量化するという問題点が生じる。リード線支持装置が大型化、重量化すると、静止誘導機器の大型化、重量化を招くことが懸念される。また、タンク内にリード線を配設する際の作業性が悪化することが懸念される。【０００８】
この発明は上記の問題点を解決するためになされたものであって、小型かつ軽量な構成で沿面放電を抑制することができる静止誘導機器およびリード線支持装置を提供することを目的とする。
【課題を解決するための手段】
【０００９】
この発明のある局面による静止誘導機器は、鉄心と、巻線と、タンクと、リード線支持装置とを備える。巻線は鉄心に巻回される。タンクは鉄心および巻線を収容する。リード線支持装置は、絶縁物で構成されており、巻線から引き出されたリード線を支持する。リード線支持装置は、タンクの内壁に固定される。リード線から内壁に至るまでの沿面経路は、第１の点および第２の点を含む。第１の点は、リード線からの沿面距離が第１の距離である点である。第２の点は、リード線からの沿面距離が第１の距離よりも長い第２の距離である点である。第２の点における電位は、第１の点における電位よりも高い。【００１０】
この発明の他の局面によるリード線支持装置は、タンク内に収容された巻線のリード線を、タンクの内壁に固定するように構成される。リード線支持装置において、リード線から内壁に至るまでの沿面経路は、第１の点および第２の点を含む。第１の点は、リード線からの沿面距離が第１の距離である点である。第２の点は、リード線からの沿面距離が第１の距離よりも長い第２の距離である点である。第２の点における電位は、第１の点における電位よりも高い。
【発明の効果】
【００１１】
この発明によれば、小型かつ軽量な構成で沿面放電を抑制することができる静止誘導機器およびリード線支持装置を提供することができる。
【図面の簡単な説明】
【００１２】
【図１】この発明の実施の形態１に従う静止誘導機器の構成を示す断面図である。
【図２】図１の静止誘導機器をＩＩ−ＩＩ線矢印方向から見た部分断面図である。
【図３】リード線およびタンクの間の沿面放電を説明するための部分断面図である。
【図４】リード線に交流電流が流れている状態での電界解析結果を概略的に示す図である。
【図５】リード線に直流電流が流れている状態での電界解析結果を概略的に示す図である。
【図６】リード線からの沿面距離と電位との関係を示すグラフである。
【図７】この発明の実施の形態２に従う静止誘導機器の構成を示す断面図である。
【図８】図７の静止誘導機器をＶＩＩＩ−ＶＩＩＩ線矢印方向から見た断面図である。
【図９】実施の形態３に従うリード線支持装置の配置構造を説明するための外観斜視図である。
【発明を実施するための形態】
【００１３】
以下、本発明の実施の形態について、図面を参照しながら詳細に説明する。なお、図中の同一または相当する部分には同一符号を付してその説明は繰り返さない。なお、静止誘導機器としては、変圧器およびリアクトルなどが含まれる。
【００１４】
実施の形態１．
図１は、この発明の実施の形態１に従う静止誘導機器の構成を示す断面図である。図１を参照して、実施の形態１に従う静止誘導機器１００は、鉄心５と、鉄心５に巻回された巻線１０と、鉄心５および巻線１０を収容するタンク２０と、リード線支持装置４０とを備える。
【００１５】
鉄心５は、複数の磁性鋼板が積層されて構成されている。鉄心５は、３つの脚部を有している。鉄心５の各脚部に巻線１０が巻回されている。
【００１６】
巻線１０は、鉄心５の脚部に巻回された低圧巻線と、低圧巻線の外側に位置して鉄心５の脚部に巻回された高圧巻線とを含む。静止誘導機器１００は、いわゆる内鉄型変圧器である。低圧巻線および高圧巻線の各々は、銅からなる導体と、当該導体に巻かれた絶縁紙とを含む。導体は絶縁紙によって絶縁被覆されている。
【００１７】
鉄心５および３つの巻線１０は、第１端枠１２および第２端枠１４によって挟まれて固定されている。具体的には、第１端枠１２および第２端枠１４の各々は、一対の枠部材から構成されている。鉄心５において巻線１０の軸方向の一方側に位置する端部は、第１端枠１２を構成する一対の枠部材同士の間に挟まれて固定されている。鉄心５において巻線１０の軸方向の他方側に位置する端部は、第２端枠１４を構成する一対の枠部材同士の間に挟まれて固定されている。
【００１８】
３つの巻線１０の各々は、第１端枠１２によって巻線１０の軸方向の一方側から押され、かつ、第２端枠１４によって巻線１０の軸方向の他方側から押されるように、第１端枠１２と第２端枠１４との間に挟まれて固定されている。
【００１９】
第１端枠１２は、第１支持板１６と連結されている。第１支持板１６は、タンク２０の天井側の内壁に接続されている。第２端枠１４は、第２支持板１８と連結されている。第２支持板１８は、タンク２０の床側の内壁に接続されている。第１支持板１６および第２支持板１８は、鉄心５および巻線１０の水平方向の位置ずれを防止する。
【００２０】
タンク２０の内部には、絶縁媒体が充填されている。絶縁媒体は、絶縁油または絶縁ガスである。絶縁油として、たとえば、鉱油、エステル油またはシリコン油が用いられる。絶縁ガスとして、たとえば、ＳＦ６ガスまたはドライエアが用いられる。
【００２１】
リード線支持装置４０は、巻線１０から引き出されたリード線３０を支持する。リード線支持装置４０は、タンク２０の内壁に固定されている。図２を用いて、リード線支持装置４０の構成について説明する。
【００２２】
図２は、図１の静止誘導機器をＩＩ−ＩＩ線矢印方向から見た部分断面図である。図２を参照して、リード線支持装置４０は、タンク２０の天井側の内壁に固定されている。リード線支持装置４０は、巻線１０からタンク２０の天井に向けて引き出されたリード線３０を支持するように構成される。リード線３０は、導体３２と、導体３２を絶縁被覆する絶縁紙３４とを含む。
【００２３】
具体的には、リード線支持装置４０は、リード線３０を挟持する挟持部４２と、挟持部４２をタンク２０の内壁に固定する固定部４４とを含む。挟持部４２および固定部４４はともに絶縁物で形成されている。挟持部４２および固定部４４には、たとえば木材を接着剤層を介して積層したものが用いられる。
【００２４】
挟持部４２は、基台部５０と、２つの突起部５２，５４とを含む。基台部５０は、タンク２０の天井側の内壁に対向する第１の主面と、第１の主面と反対側に位置する第２の主面とを有する。突起部５２，５４は、基台部５０の第１の主面上に配置される。各突起部は、タンク２０の天井側に向かって突出する形状を有している。
【００２５】
基台部５０の第１の主面上には、２つの突起部５２，５４の間に挟まれるようにリード線３０が設置されている。リード線３０は、挟持部４２と直接に接触しており、その自重により挟持部４２に固定されている。リード線３０と挟持部４２とを絶縁テープによってテーピングすることでリード線３０を固定してもよい。このようにして、挟持部４２によってリード線３０が挟持される。
【００２６】
固定部４４は、第１部材６０、第２部材６２、および第３部材６４を有する。第１部材６０は、一方端が基台部５０に接続され、他方端が第２部材６２に接続される。第３部材６４は、一方端がタンク２０の内壁に接続され、他方端が第２部材６２に接続される。第２部材６２は、基台部５０と対向するように配置されている。第１部材６０は、第２部材６２からタンク２０の天井側に向けて起立するように配置されている。第３部材６４は、第２部材６２からタンク２０の床側に向けて起立するように配置されている。
【００２７】
図２に示されるように、リード線３０は、タンク２０内の複数箇所でリード線支持装置４０により支持されている。リード線支持装置４０によって、リード線３０とタンク２０との間に所定の絶縁距離を確保している。
【００２８】
このような状態でリード線３０に電流が流れると、図３中に白矢印で示すように、リード線３０の周囲には電界が発生する。リード線３０からの空間距離がｒである点Ｐにおける電界の強さをＥとすると、Ｅの値は式（１）となる。また、点Ｐにおける電位をφとすると、φの値は式（２）となる。なお、ｑはリード線３０の電荷であり、εはタンク２０内部に充填されている絶縁媒体および／またはリード線支持装置４０の誘電率である。
【００２９】
Ｅ＝ｑ／４πε・１／ｒ２      …（１）
Φ＝ｑ／４πε・１／ｒ      …（２）
式（１）から分かるように、リード線３０から発生する電界の強さは、リード線３０からの空間距離が離れるに従って弱くなる。なお、本明細書において、リード線３０からの空間距離とは、リード線３０とある点Ｐとの間の直線距離をいう。これに対して、リード線３０からの沿面距離とは、リード線３０とある点Ｐとを隔てる絶縁物の表面に沿って計測した距離をいう。なお、この絶縁物とは主にリード線支持装置４０である。
【００３０】
リード線３０に印加される電圧が高い場合、リード線３０から発生する電界の強さが強くなり、リード線３０とタンク２０との間に沿面放電が発生するおそれがある。沿面放電とは、電位の高いところから電位の低いところに向かって、絶縁物の表面に沿って放電が進展する現象である。したがって、リード線３０およびタンク２０の間に沿面放電が発生すると、図３に示されるように、リード線支持装置４０の表面に形成される沿面経路７０を、リード線３０からタンク２０に向かうように沿面放電が進展する。
【００３１】
リード線３０とタンク２０との間に発生する沿面放電を抑制するためには、リード線３０とタンク２０との間の沿面距離を長くすることが有効である。これには、リード線支持装置４０の沿面長を増加させる必要がある。リード線支持装置４０の沿面長を増やすためには、主に固定部４４の長さを長くして、タンク２０内で固定部４４を引き回すことになる。
【００３２】
しかしながら、上記のようにリード線支持装置４０の沿面長を増やした場合、リード線支持装置４０が大型化および重量化してしまう。これにより、静止誘導機器１００も大型化および重量化することが懸念される。また、タンク２０内にリード線３０を配設する際の作業性が悪化することが懸念される。
【００３３】
そこで、実施の形態１に従うリード線支持装置４０では、リード線３０からタンク２０の内壁に至るまでの沿面経路７０において、沿面放電の進展を阻害し得る区間を設ける。この区間は、リード線３０からの沿面距離が長くなるに従って電位が高くなるように構成されている。すなわち、この区間では、電界の向きが沿面放電の進展方向に対して逆向きとなる。そのため、この区間においては、電位の低いところから電位の高いところに向けて沿面放電が走らざるを得ず、結果的に沿面放電の進展が妨げられることになる。
【００３４】
より具体的には、実施の形態１では、上記区間を固定部４４に設けるものとする。図２および図３の例では、固定部４４の第２部材６２が上記区間を実現する。このようにすると、リード線支持装置４０の沿面長を長くするために固定部４４を引き回す必要が無くなるため、リード線支持装置４０をコンパクトな形状とすることができる。したがって、リード線支持装置４０の大型化および重量化を回避することができる。この結果、静止誘導機器１００の大型化および重量化も回避することができる。また、リード線３０を配設する際の作業性を向上させることができる。
【００３５】
以下、図４から図６を参照して、本実施の形態１によるリード線支持装置４０における、リード線３０からの沿面距離と電位との関係について説明する。
【００３６】
図４は、リード線３０に交流電流が流れている状態での電界解析結果を概略的に示したものである。図４は、リード線３０の周囲に生じる電位分布をシミュレーションした結果を示している。図４には、リード線３０を中心として同心円状に形成された、複数の等電位線が示されている。複数の等電位線においては、リード線３０との空間距離が最短となる等電位線の電位が最も高く、リード線３０からの空間距離が長くなるに従って等電位線の電位が低くなっている。
【００３７】
ここで、図４に示されるように、リード線支持装置４０の沿面経路において、複数の点Ａ〜Ｆを設定する。複数の点Ａ〜Ｆは、リード線３０からの沿面距離が互いに異なっている。なお、リード線３０からある点までの沿面距離とは、リード線３０およびある点の間をリード線支持装置４０の表面に沿って計測した距離である。
【００３８】
図４では、点Ａ，Ｂが突起部５２に位置し、点Ｃが第１部材６０に位置し、点Ｄ、点Ｅが第２部材６２に位置し、点Ｆが第３部材６４に位置している。点Ａ〜Ｆは、リード線３０からの沿面距離がこの順に長くなる。したがって、リード線３０とタンク２０との間に沿面放電が発生した場合には、リード線３０から点Ａ、点Ｂ、点Ｃ、点Ｄ、点Ｅおよび点Ｆを順に経由してタンク２０に向かって沿面放電が進展することになる。
【００３９】
図４では、さらに、点Ａ〜Ｆは、リード線３０からの空間距離が不均一となっている。そのため、点Ａ〜Ｆの各々における電位も不均一となる。詳細には、点Ａ、点Ｂおよび点Ｅは、点Ｃ、点Ｄおよび点Ｆに比べてリード線３０からの空間距離が短い。そのため、点Ａ、点Ｂおよび点Ｅにおける電位は、点Ｃ、点Ｄおよび点Ｆにおける電位に比べて高くなっている。
【００４０】
図５は、リード線３０に直流電流が流れている状態での電界解析結果を概略的に示したものである。図５は、リード線３０の周囲に生じる電位分布をシミュレーションした結果を示している。図５においても、図４と同様に、リード線３０を中心として形成された、複数の等電位線が示されている。
【００４１】
リード線３０に直流電流が流れている場合、電位分布は、リード線支持装置４０および絶縁媒体の間の抵抗値の違いに依存する。図５では、両者の抵抗値が１０倍以上異なるため、リード線支持装置４０に電界が集中している。したがって、複数の等電位線は同心円状にはなっていない。これに対して、リード線３０に交流電流が流れている場合、電位分布は、リード線支持装置４０および絶縁媒体間の抵抗値の違い対する依存度が小さく、専ら両者の誘電率の違いに依存する。図４では、両者の誘電率の差が２〜３倍程度と小さいため、誘電率の差に影響されることなく、複数の等電位線は同心円状となっている。なお、図５においても、図４と同様に、リード線支持装置４０の沿面経路には、複数の点Ａ〜Ｆが設定されている。
【００４２】
図６は、図４および図５に示した電位分布における、リード線３０からの沿面距離と電位との関係をグラフ化したものである。図６を参照して、横軸はリード線３０からの沿面距離を示し、縦軸は電位を示す。なお、縦軸において、電位Ｖはリード線３０の表面の電位を表し、電位０（接地電位）はタンク２０の電位を表している。
【００４３】
図中のラインｋ１は、図４に示した電位分布に基づいたリード線３０からの沿面距離と電位との関係を示している。図中のラインｋ２は、図５に示した電位分布に基づいたリード線３０からの沿面距離と電位との関係を示している。なお、各ラインに付されているＡ〜Ｆの文字は、図４および図５で設定された複数の点Ａ〜Ｆにそれぞれ対応している。たとえば、図６中のＣは、図４および図５における点Ｃに対応しており、点Ｃにおける電位を表している。
【００４４】
図６に示されるように、ラインｋ１およびｋ２は、各点での電位の大きさが異なるものの、電位の変化の様子は共通している。詳細には、点Ｃおよび点Ｄでは点Ｂに比べて電位が低下しているが、点Ｄから点Ｅに向かって電位が上昇に転じている。そして、点Ｅをピークとして電位が再び低下している。
【００４５】
ここで、点Ｄおよび点Ｅに着目すると、点Ｅは点Ｄに比べてリード線３０からの沿面距離が長い。その一方で、点Ｅは点Ｄに比べてリード線３０からの空間距離が短いため、点Ｅの電位は点Ｄの電位よりも高くなっている。これにより、点Ｄから点Ｅまでの区間（第２部材６２に相当）では、リード線３０からの沿面距離が長くなるに従って電位が高くなる。したがって、点Ｄから点Ｅまでの区間では、沿面放電は電位の低いところから電位の高いところに向けて走らざるを得ず、結果的に沿面放電の進展が妨げられる。このように、点Ｄから点Ｅまでの区間は、沿面放電の進展を阻害するための区間を実現する。
【００４６】
以上のように、実施の形態１に従うリード線支持装置４０によれば、リード線３０からタンク２０に至るまでの沿面経路において、沿面放電の進展方向に対して逆向きの電界が生じる区間を設けることで、当該沿面経路を沿面放電が進展することを阻害することができる。
【００４７】
また、実施の形態１に従うリード線支持装置によれば、リード線支持装置の沿面長を長くする必要がなくなるため、リード線支持装置をコンパクトな形状とすることができる。これにより、リード線支持装置の大型化および重量化を回避することができる。よって、静止誘導機器の大型化および重量化が回避されるとともに、リード線を配設する際の作業性が向上する。
【００４８】
実施の形態２．
実施の形態２では、リード線支持装置４０の変形例について説明する。
【００４９】
図７は、この発明の実施の形態２に従う静止誘導機器の構成を示す断面図である。実施の形態２に従う静止誘導機器１００は、実施の形態１に従う静止誘導機器１００（図１）と同様に構成されている。実施の形態２に従う静止誘導機器１００では、リード線支持装置４０は、タンク２０の床側の内壁に固定されている。リード線支持装置４０は、巻線１０からタンク２０の床に向けて引き出されたリード線３０を支持するように構成される。
【００５０】
図８は、図７の静止誘導機器をＶＩＩＩ−ＶＩＩＩ線矢印方向から見た断面図である。図８を用いて、実施の形態２に従うリード線支持装置４０の構成について説明する。
【００５１】
図８を参照して、実施の形態２に従うリード線支持装置４０の基本的な構成は実施の形態１で説明したリード線支持装置４０と同じである。固定部４４の形状が実施の形態１とは異なっている。
【００５２】
具体的には、固定部４４において、第１部材６０は、第２部材６２からタンク２０の床側に向けて起立するように配置されている。第３部材６４は、第２部材６２からタンク２０の床側に向けて起立するように配置されている。
【００５３】
図８に示されるように、リード線３０およびタンク２０の間に沿面放電が発生すると、リード線支持装置４０の表面に形成される沿面経路７０上を、リード線３０からタンク２０に向かうように沿面放電が進展する。
【００５４】
実施の形態２に従うリード線支持装置４０においても、実施の形態１に従うリード線支持装置４０と同様に、リード線３０からタンク２０の内壁に至るまでの沿面経路７０において、沿面放電の進展を阻害するための区間を設ける。この区間は、電界の向きが沿面放電の進展方向に対して逆向きとなるように構成されている。
【００５５】
図８の例では、固定部４４の第２部材６２が当該区間を実現する。詳細には、図８において、図４および図５と同様に、沿面経路７０に複数の点Ａ〜Ｆを設定する。点Ａ〜Ｆは、リード線３０からの沿面距離がこの順に長くなる。さらに、点Ａ〜Ｆは、リード線３０からの空間距離が不均一となっている。そのため、点Ａ〜点Ｆの各々における電位も不均一となる。詳細には、点Ａ、点Ｂおよび点Ｅは、点Ｃ、点Ｄおよび点Ｆに比べてリード線３０からの空間距離が短い。そのため、点Ａ、点Ｂおよび点Ｅにおける電位は、点Ｃ、点Ｄおよび点Ｆにおける電位に比べて高くなっている。
【００５６】
図８においても、点Ｄおよび点Ｅに着目すると、点Ｅは点Ｄに比べてリード線３０からの沿面距離が長い。その一方で、点Ｅは点Ｄに比べてリード線３０からの空間距離が短いため、点Ｅの電位は点Ｄの電位よりも高くなっている。これにより、点Ｄから点Ｅまでの区間では、リード線３０からの沿面距離が長くなるに従って電位が高くなっている。したがって、点Ｄから点Ｅまでの区間では電位の低いところから電位の高いところに向けて沿面放電が走らざるを得ず、沿面放電の進展か妨げられることになる。すなわち、点Ｄから点Ｅまでの区間は、沿面放電の進展を阻害するための区間を実現する。この結果、実施の形態２に従うリード線支持装置においても、実施の形態１に従うリード線支持装置と同様の作用効果を奏することができる。
【００５７】
なお、実施の形態１および２に従うリード線支持装置４０において、リード線３０からタンク２０の内壁に至るまでの沿面経路における点Ｄは「第１の点」に相当し、点Ｅは「第２の点」に相当する。リード線３０から第２の点までの空間距離は、リード線３０から第１の点までの空間距離よりも短いことが好ましい。このようにすると、第２の点の電位は必然的に第１の点の電位よりも高くなるため、第１の点および第２の点の間に、沿面放電の進展方向に対して逆向きの電界が生じる区間を形成することができる。
【００５８】
このように、本発明は、リード線支持装置４０における沿面経路に、沿面放電の進展方向に対して逆向きの電界が生じる区間を形成することを趣旨したものである。したがって、本発明の趣旨を逸脱しない限りにおいて、リード線支持装置４０の形状ならびに、第１および第２の点の位置は実施の形態１および２で例示したものに制限されるものではない。
【００５９】
実施の形態３．
上述の実施の形態１および２で示したように、リード線支持装置４０は、タンク２０の内壁の複数箇所に固定されてリード線３０を支持する。実施の形態３では、複数のリード線支持装置４０の好ましい配置構造について説明する。
【００６０】
図９は、実施の形態３に従うリード線支持装置４０の配置構造を説明するための外観斜視図である。なお、実施の形態３に従うリード線支持装置４０は、実施の形態２に従うリード線支持装置４０（図８）と同じものである。
【００６１】
図９を参照して、複数のリード線３０は互いに平行に配設されている。タンク２０の内壁上には、リード線３０ごとに、複数のリード線支持装置４０がリード線３０の延在方向に沿って並べて配置されている。
【００６２】
系統事故等によってリード線３０に短絡電流が流れた場合、図９に示されるように、リード線３０に電磁力が作用する。電磁力の向きおよび大きさは、短絡電流の向きおよび大きさに応じて定まる。大きな短絡電流が流れた場合には、リード線３０に大きな電磁力が発生するため、リード線支持装置４０に応力が作用する。リード線支持装置４０が応力を継続的に、または繰り返し受けることにより、リード線支持装置４０は機械的強度が低下し、破損に至る可能性がある。
【００６３】
図８に示すように、リード線支持装置４０をリード線３０の延在方向から見たときに、基部となる第３部材６４は、リード線３０に対して水平方向の一方側（図８の例では右側）に位置している。そのため、挟持部４２にリード線３０の重量が加わることで、第３部材６４は、水平方向の他方側（図８の例では左側）に向かって撓み易い構造となっている。したがって、リード線支持装置４０は、この水平方向の他方側に向かう応力に対する強度が、水平方向の一方側に向かう応力に対する強度に比べて低くなっている。そのため、リード線３０の電磁力を受けて、水平方向の他方側に向かう方向に応力が加わると、リード線支持装置４０が破損に至る虞がある。
【００６４】
このように、リード線支持装置４０は、リード線３０を延在方向から見たときに、水平方向に作用する応力に対する機械的強度が、その応力の向きによって異なっている。実施の形態３では、図９に示すように、互いに隣り合う第１および第２のリード線支持装置４０を、リード線３０の延在方向から見たときに、各々の基部（第３部材６４に相当）がリード線３０を挟んで対向するように配置する。
【００６５】
このようにすると、たとえば、リード線３０の電磁力を受けて、第１のリード線支持装置４０に水平方向の他方側に向かう応力が作用している状況において、第２のリード線支持装置４０では、水平方向の一方側に向かう応力が作用している。このような状況では、第１のリード線支持装置４０では応力に対する機械的強度が低いが、対照的に、第２のリード線支持装置４０では応力に対する強度が高い。そのため、第２のリード線支持装置４０は、第１のリード線支持装置４０に加わる応力の一部を負担することができる。その結果、第１のリード線支持装置４０では、実質的に応力が軽減されるため、破損を回避することができる。
【００６６】
なお、第２のリード線支持装置４０に水平方向の他方側に向かう応力が作用し、かつ、第１のリード線支持装置４０に水平方向の一方側に向かう応力が作用している状況においても、同様のことがいえる。
【００６７】
以上のように、実施の形態３に従う静止誘導機器によれば、リード線の延在方向に沿って並べて配置された複数のリード線支持装置は、リード線の延在方向から見たときの水平方向の一方側および他方側のいずれの向きに応力が作用しても、リード線支持装置４０はリード線３０を支持することができる。
【００６８】
今回開示された実施の形態はすべての点で例示であって制限的なものではないと考えられるべきである。本発明の範囲は上記した説明ではなくて請求の範囲によって示され、請求の範囲と均等の意味および範囲内でのすべての変更が含まれることが意図される。
【符号の説明】
【００６９】
５  鉄心、１０  巻線、１２  第１端枠、１４  第２端枠、１６  第１支持板、１８  第２支持板、２０  タンク、３０  リード線、３２  導体、３４  絶縁紙、４０  リード線支持装置、４２  挟持部、４４  固定部、５０  基台部、５２，５４  突起部、６０  第１部材、６２  第２部材、６４  第３部材、７０  沿面経路、１００  静止誘導機器。
【図１】
2018029772.tif 000003
【図２】
2018029772.tif 000004
【図３】
2018029772.tif 000005
【図４】
2018029772.tif 000006
【図５】
2018029772.tif 000007
【図６】
2018029772.tif 000008
【図７】
2018029772.tif 000009
【図８】
2018029772.tif 000010
【図９】
2018029772.tif 000011
【国際調査報告】
2018029772.tif 000012
2018029772.tif 000013
2018029772.tif 000014